(57)【特許請求の範囲】
【請求項１】
相互に平行に位置して、相異なる色相を持つ第１ないし第３光を、同じ方向に順次照射する第１ないし第３光源ユニットと、
前記第１ないし第３光を、画像情報によって順次変調する光変調素子と、
前記変調された光を、スクリーンに拡大投射させる投射レンズユニットと、を備え、
前記第１ないし第３光源ユニットは、
放物面状の第１反射面を備えるコリメータと、前記コリメータの外部に存在すると共に前記第１反射面の焦点付近に位置する小型光源とを備えた一つ以上の光モジュールと、を備え、
前記コリメータは、前記第１反射面に対面する位置に設けられる平面状の反射面であり、前記小型光源から光が通過する光窓が設けられた第２反射面をさらに具備することを特徴とする画像投射装置。
【請求項２】
相異なる色相を持つ第１ないし第３光を、それぞれ照射する第１ないし第３光源ユニットと、
前記第１ないし第３光の光路を結合するＸキューブプリズムと、
前記第１ないし第３光を画像情報によって順次変調する光変調素子と、
前記変調された光をスクリーンに拡大投射させる投射レンズユニットと、を備え、
前記第１ないし第３光源ユニットは、
放物面状の第１反射面を備えるコリメータと、前記コリメータの外部に存在すると共に前記第１反射面の焦点付近に位置する小型光源とを含む一つ以上の光モジュールを備え、
前記コリメータは、前記第１反射面に対面する位置に設けられる平面状の反射面であり、前記小型光源から光が通過する光窓が設けられた第２反射面をさらに具備することを特徴とする画像投射装置。
【請求項３】
相異なる色相を持つ第１ないし第３光を、それぞれ照射する第１ないし第３光源ユニットと、
前記第１ないし第３光の光路を結合する三色性のプリズムと、
前記第１ないし第３光を、画像情報によって順次変調する光変調素子と、
前記変調された光を、スクリーンに拡大投射させる投射レンズユニットと、を備え、
前記第１ないし第３光源ユニットは、
放物面状の第１反射面を備えるコリメータと、前記コリメータの外部に存在すると共に前記第１反射面の焦点付近に位置する小型光源とを含む一つ以上の光モジュールを備え、
前記コリメータは、前記第１反射面に対面する位置に設けられる平面状の反射面であり、前記小型光源から光が通過する光窓が設けられた第２反射面をさらに具備することを特徴とする画像投射装置。
【請求項４】
前記第２反射面は、前記第１反射面の主軸に対して傾斜して設けられ、前記小型光源は、その光軸が前記主軸に対して、前記第２反射面の前記主軸に対する傾斜角度と同じ傾斜角度を持つように設置されることを特徴とする請求項１ないし３のうちいずれか１項に記載の画像投射装置。
【請求項５】
前記コリメータは、
前記光窓のエッジに、前記第２反射面に対して傾斜して設けられる第３反射面をさらに具備することを特徴とする請求項１ないし３のうちいずれか１項に記載の画像投射装置。
【請求項６】
前記光変調素子の入射側には、均一な光度を持つ面光を形成するインテグレータがさらに備えられたことを特徴とする請求項１ないし３のうちいずれか１項に記載の画像投射装置。
【請求項７】
第１ないし第３光を集光して、前記インテグレータへ入射させる一つ以上のコンデンシングレンズをさらに具備することを特徴とする請求項６に記載の画像投射装置。
【請求項８】
前記光変調素子は、ＤＭＤであることを特徴とする請求項１ないし３のうちいずれか１項に記載の画像投射装置。
【請求項９】
前記一つ以上の光モジュールのコリメータは、相互に平行に位置するように配置されることを特徴とする請求項１ないし８のうちいずれか１項に記載の画像投射装置。
【発明の詳細な説明】
【技術分野】
【０００１】
本発明は、カラー画像表示のために、相異なる色相を持つ複数の光を、画像情報に対応するように変調させて、スクリーンに拡大投射する画像投射装置に関する。
【背景技術】
【０００２】
画像投射装置に、光を画像情報に対応するように変調させる光変調素子と、これを照明するための照明ユニットとを備える。照明ユニットには、メタルハライドランプや超高圧水銀ランプなどが使われてきた。それらランプは、その寿命が長くても数千時間程度である。したがって、家庭用として使われる場合に、ランプを頻繁に交換せねばならないという不便さがある。また、それらランプから放出される白色光を、赤色（Ｒ：ｒｅｄ）、緑色（Ｇ：ｇｒｅｅｎ）、青色（Ｂ：ｂｌｕｅ）光に分光させるためのカラーホイールなどが必要であるので、照明ユニットが大型化するという問題点がある。
【０００３】
近来には、ＬＥＤ（Ｌｉｇｈｔ Ｅｍｉｔｔｉｎｇ Ｄｉｏｄｅ）などの小型光源を採用した画像投射装置が開発されている。特許文献１及び２には、ＬＥＤを使用する画像投射装置が開示されている。ＬＥＤは、一般的に、メタルハライドランプや超高圧水銀ランプに比べて光量が少ない。したがって、投射型画像表示装置の照明光源としては、複数のＬＥＤがアレイ化されたＬＥＤアレイが使われる。スクリーンに有効に投射される光量を増加させるためには、ＬＥＤから放出された光が光変調素子に照射される前に、コリメーティングさせるが、この場合に、集光光学系に含まれたレンズによって、集光効率が低下するという問題点がある。
【０００４】
【特許文献１】特開２００１−３０５６５８号公報
【０００５】
【特許文献２】特開２００３−１８６１１０号公報
【発明の開示】
【発明が解決しようとする課題】
【０００６】
本発明は、前記問題点を鑑みてなされたものであり、照明光学系の長寿命化及び単純化が可能な画像投射装置を提供するところにその目的がある。
【課題を解決するための手段】
【０００７】
前記目的を達成するための本発明の一局面による画像投射装置は、相互に平行に位置して、相異なる色相を持つ第１ないし第３光を、同じ方向に順次照射する第１ないし第３光源ユニットと、前記第１ないし第３光を、画像情報によって順次変調する光変調素子と、前記変調された光を、スクリーンに拡大投射させる投射レンズユニットと、を備え、前記第１ないし第３光源ユニットは、放物面状の第１反射面を備えるコリメータと、前記第１反射面の焦点付近に位置する小型光源とを備えた一つ以上の光モジュールと、を備えることを特徴とする。
【０００８】
前記目的を達成するための本発明の一局面による画像投射装置は、相異なる色相を持つ第１ないし第３光を、それぞれ照射する第１ないし第３光源ユニットと、前記第１ないし第３光の光路を結合するＸキューブプリズムと、前記第１ないし第３光を画像情報によって順次変調する光変調素子と、前記変調された光をスクリーンに拡大投射させる投射レンズユニットと、を備え、前記第１ないし第３光源ユニットは、放物面状の第１反射面を備えるコリメータと、前記第１反射面の焦点付近に位置する小型光源とを含む一つ以上の光モジュールを備えることを特徴とする。
【０００９】
前記目的を達成するための本発明の一局面による画像投射装置は、相異なる色相を持つ第１ないし第３光を、それぞれ照射する第１ないし第３光源ユニットと、前記第１ないし第３光の光路を結合する三色性のプリズム（ｔｒｉｃｈｒｏｉｃ ｐｒｉｓｍ）と、前記第１ないし第３光を、画像情報によって順次変調する光変調素子と、前記変調された光を、スクリーンに拡大投射させる投射レンズユニットと、を備え、前記第１ないし第３光源ユニットは、放物面状の第１反射面を備えるコリメータと、前記第１反射面の焦点付近に位置する小型光源とを含む一つ以上の光モジュールを備えることを特徴とする。
【発明の効果】
【００１０】
本発明による画像投射装置によれば、次のような効果を得られる。
【００１１】
第１に、小型光源を採用することによって、光源ユニットの長寿命化を具現できる。
【００１２】
第２に、非球面状の反射面を持つコリメータを採用して、レンズによらずに、小型光源から放出された光をコリメーティングさせることにより、集光効率を向上させることができる。また、複数の光モジュールをアレイ化することによって、輝度を向上させることはもとより、光源ユニットの小型化を図ることができる。
【００１３】
第３に、Ｘキューブプリズムまたは三色性のプリズムを利用して、３色光の経路を結合することによって、単純な構成の単板式画像投射装置の具現が可能である。
【発明を実施するための最良の形態】
【００１４】
以下、添付した図面を参照しつつ本発明の望ましい実施形態を詳細に説明する。
【００１５】
図１は、本発明による画像投射装置の第１実施形態を示した構成図である。図１を見れば、画像投射装置は、それぞれ第１ないし第３光Ｒ、Ｇ、Ｂを放出する第１ないし第３光源ユニット１１０Ｒ、１１０Ｇ、１１０Ｂ、第１ないし第３光Ｒ、Ｇ、Ｂを、画像情報によって順次変調する光変調素子１７０、変調された第１ないし第３光Ｒ、Ｇ、Ｂを、スクリーンＳに拡大投射させる投射レンズユニット１８０を含む。本実施形態の画像投射装置は、一つの光変調素子１７０を使用する単板式画像投射装置である。本実施形態の光変調素子１７０は、ＤＭＤ（Ｄｉｇｉｔａｌ ＭｉｃｒｏＭｉｒｒｏｒ ｄｅｖｉｃｅ）である。第１ないし第３光源ユニット１１０Ｒ、１１０Ｇ、１１０Ｂは、図２及び図７に示すように、複数の光モジュール１０１または１０２をアレイ化したものである。一実施形態として、第１、第３光源ユニット１１０Ｒ、１１０Ｂは、それぞれ４個の光モジュール１０１または１０２をアレイ化したものであり、第２光源ユニット１１０Ｇは、８個の光モジュール１０１または１０２をアレイ化したものである。
【００１６】
図２は、光モジュールの一実施形態を示した斜視図であり、図３は、図２の側面図である。図２及び図３を見れば、光モジュール１０１は、コリメータ３０及び小型光源１０を含む。小型光源１０は、一つ以上のＬＥＤ、レーザーなどを備える。コリメータ３０は、放物面状の第１反射面２１を備える。小型光源１０は、第１反射面２１の焦点Ｆ付近に位置する。本実施形態では、四角断面を持つガラスロッド２４の一側部を、放物面状に加工し、その外面を反射コーティングすることにより、第１反射面２１を形成する。コリメータ３０は、平面状の第２反射面２２をさらに備える。第２反射面２２は、第１反射面２１に対面するように位置する。第２反射面２２には、小型光源１０から光が入射されるように、光窓Ｇが形成される。第２反射面２２は、光窓Ｇを除外したガラスロッド２４の第１反射面２１に対面する平面を反射処理することによって形成できる。本実施形態では、小型光源１０が、その光軸１１が主軸２６に対して垂直に配置されているが、これによって、本発明の範囲が限定されるものではない。コリメータ３０は、図４に示すように、光窓Ｇのエッジに、第２反射面２２に対して傾斜した第３反射面２３をさらに具備できる。
【００１７】
第１反射面２１を定義するにおいて、”放物面状”という用語を使用している。”放物面状”は、円錐係数Ｋ＝−１である厳密な放物面のみを意味するものではない。少なくとも、本明細書で使われる”放物面状”という用語は、Ｋが−０．４ないし−２．５の範囲、望ましくは、−０．７ないし−１．６の範囲の非球面を意味する。第１反射面２１のＫ値は、小型光源１０から放射される光を照明しようとする対象体に、有効に照明できる放射角度範囲でコリメーティングさせるために、前述した範囲内で適切に選定できる。以下では、主軸２６を備えた任意の断面形状が放物線形状（Ｋ＝−１）である第１反射面２１を例として説明する。
【００１８】
小型光源１０は、主軸２６を基準に約０〜１８０°程度の放射角Ａを持つ光を放出する。第１反射面２１は、放物面であり、小型光源１０は、第１反射面２１の焦点Ｆ付近に位置する。したがって、小型光源１０から放射された光のうち、その放射角Ａが第１反射面２１の開口角Ｂより大きい光Ｌ１は、第１反射面２１で反射されて主軸２６に平行した光となる。この光Ｌ１は、全反射現象によってガラスロッド２４内部に伝播されて、出光面２５を通じて出射される。小型光源１０から放射された光のうち、その放射角Ａが第１反射面２１の開口角Ｂより小さな光Ｌ２は、第１反射面２１に入射されずに、直ちにガラスロッド２４内部に伝播される。このようにコリメータ３０は、小型光源１０から約０〜１８０°程度の放射角Ａで入射された光を、約０°〜開口角Ｂの範囲の放射角を持つようにコリメーティングさせる。
【００１９】
小型光源１０は、正確にその発光点が焦点Ｆに位置するようには配置できない。したがって、小型光源１０から放射された光の一部は、第１反射面２１で反射されて第２反射面２２側に進みうる。第２反射面２２は、このような光Ｌ３を反射させて出光面２５側に向かわせることによって、光利用効率を向上させる。第３反射面２３は、第１反射面２１の開口角Ｂより小さな放射角度を持つ光Ｌ４を反射させて、第１反射面２１に入射させることによって、コリメーティング効率を向上させる。
【００２０】
レンズを使用する光学系の効率低下について、図１２Ａ、図１２Ｂを参照して、ＬＥＤ及びＬＥＤアレイを使用する場合を例としてさらに詳細に説明する。近軸領域では、像の大きさと角度との積が保存される。したがって、ＬＥＤの発光面積と発光角度の立体角との積が保存量となり、これを、エテンデュー（ｅｔｅｎｄｕｅ）という。この保存量が、光変調素子の面積と投射レンズのＦ値から計算される立体角との積より小さな場合に、集光効率が高くなる。図１２Ａに示すように、一つのＬＥＤを使用する場合、ＬＥＤの発光面積ΦＬと立体角ＵＬとの積を、光変調素子の発光面積ΦＰと立体角ＵＰとの積と同一にすることができる。複数個のＬＥＤをアレイ化して使用する場合には、図１２Ｂに示すように、ＬＥＤアレイの発光面積ΣΦＬが、一つのＬＥＤを使用する場合の発光面積ΦＬより大きくなる。この時、ＬＥＤとＬＥＤアレイとの発光角度の立体角ＵＬが同一であり、光変調素子の面積ΦＰも同一である。したがって、エテンデューが保存されるためには、ＬＥＤアレイを使用する場合に、光変調素子の発光角度の立体角ＵＰ’は、一つのＬＥＤを使用する場合に比べて大きくなる。したがって、図１２Ｂに示すような損失が発生して集光効率を低下させ、結果的に画像投射装置の輝度が低下する。
【００２１】
本実施形態による光モジュール１０１によれば、レンズによらずに第１反射面２１によって、小型光源１０から放出される光をコリメーティングさせる。したがって、レンズによる効率の低下なしに光を良好な効率でコリメーティングさせることができる。光モジュール１０１は、非常に小さく製作できるために、複数個をアレイ化しても、光源ユニット１１０は、従来のランプより小型化される。また、光をコリメーティングさせることによって、投射レンズユニット１８０を通じて有効に投射される光量が増加して、光利用効率を向上させることができる。
【００２２】
図５は、光モジュールの他の実施形態を示した斜視図であり、図６は、図５の側面図である。図５及び図６を見れば、光モジュール１０２は、第２反射面２２が、第１反射面２１の主軸２６に対して角度Ｄだけ傾斜した。小型光源１０は、その光軸１１が第２反射面２２に対してほぼ垂直に設置される。結果的に、小型光源１０の光軸１１は、第１反射面２１の主軸２６に対して角度Ｄだけ傾斜する。このような構成によれば、光モジュール１０２の開口の大きさを減らす効果がある。図６を見れば、参照符号ＡＰ１は、第２反射面２２が主軸２６と平行な時の、図２ないし図４に図示された光モジュール１０１の開口の大きさを表示したものであり、参照符号ＡＰ２は、本実施形態による光モジュール１０２の開口の大きさを表示したものである。ＡＰ１とＡＰ２とを比較すれば、本実施形態による光モジュール１０２の開口の大きさが、図２ないし図４に図示された光モジュール１０１の開口の大きさより小さいということが明らかである。このように開口の大きさを小さくすれば、複数の光モジュール１０１または１０２をアレイ化する時に有利である。すなわち、狭い空間内に多くの光モジュール１０２をアレイ化できて、第１ないし第３光源ユニット１１０Ｒ、１１０Ｇ、１１０Ｂの光量を増加させることができる。また、同じ光量を満たす時には、第１ないし第３光源ユニット１１０Ｒ、１１０Ｇ、１１０Ｂの大きさを減らすことができる。図７に図示された本実施形態の第１ないし第３光源ユニット１１０Ｒ、１１０Ｇ、１１０Ｂは、光モジュール１０２をアレイ化したものである。
【００２３】
前述した実施形態では、ガラスロッド２４を利用した光モジュール１０１、１０２について説明した。図面で図示されていないが、内部の空いている光トンネルの一側部に放物面を形成し、かつその内部を反射処理することによって、第１、第２反射面２１、２２を形成することもできる。
【００２４】
第１ないし第３光源ユニット１１０Ｒ、１１０Ｇ、１１０Ｂから順次に出射される第１ないし第３光Ｒ、Ｇ、Ｂは、インテグレータ１４０に入射される。インテグレータ１４０は、均一な光度を持つ面光を形成する。インテグレータ１４０としては、四角断面を持つガラスロッドまたは内部反射面を持つ光トンネルが採用される。図１を見れば、画像投射装置は、第１ないし第３光源ユニット１１０Ｒ、１１０Ｇ、１１０Ｂから出射される光を集光させて、インテグレータ１４０に入射させるための一つ以上のコンデンシングレンズ１３０をさらに備える。インテグレータ１４０から出射された光は、ＴＩＲ（Ｔｏｔａｌ Ｉｎｔｅｒｎａｌ Ｒｅｆｌｅｃｔｉｏｎ）プリズム１６０を経て、光変調素子１７０に入射される。リレイレンズユニット１５０は、インテグレータ１４０から出射される光を、光変調素子１７０の開口に合わせて拡大または縮少する。光変調素子１７０は、第１ないし第３光Ｒ、Ｇ、Ｂを、画像情報に対応するように順次変調させる。変調された光は、ＴＩＲプリズム１６０によって投射レンズユニット１８０に案内される。投射レンズユニット１８０は、変調された光をスクリーンＳに拡大投射する。
【００２５】
前述したように、本実施形態の画像投射装置によれば、小型光源１０を採用することによって、光源ユニット１１０の長寿命化を具現できる。レンズによらずに小型光源１０から放出された光をコリメーティングさせることにより、集光効率を向上させることができる。複数の光モジュール１０１または１０２をアレイ化することによって、輝度を向上させることはもとより、光源ユニット１１０の小型化を図ることができる。また、構造的に単純化された画像投射装置の具現が可能である。
【００２６】
図８は、本発明による画像投射装置の第２実施形態を示した構成図である。本実施形態の画像投射装置は、図１に示した画像投射装置の一変形形態であり、第１ないし第３光Ｒ、Ｇ、Ｂの光路を結合するＸキューブプリズム１２０ａを備えることを特徴とする。また、本実施形態による画像投射装置の第１ないし第３光源ユニット１１０Ｒ、１１０Ｇ、１１０Ｂは、それぞれ１６個の光モジュール１０２を、４×４形態に２次元配列したものである。Ｘキューブプリズム１２０ａは、図９に示すように、第１ないし第３入射面１２１、１２２、１２３、出射面１２４、Ｘ状に配置された第１、第２選択的反射面１２５、１２６を備える。第１ないし第３光源ユニット１１０Ｒ、１１０Ｇ、１１０Ｂは、第１ないし第３入射面１２１、１２２、１２３に第１ないし第３光Ｒ、Ｇ、Ｂを順次照射する。第１選択的反射面１２５には第１光Ｒを反射させ、第２、第３光Ｇ、Ｂを透過させるように、選択的反射膜が形成される。第２選択的反射面１２６には、第３光Ｂを反射させ、第１、第２光Ｒ、Ｇを透過させるように、選択的反射膜が形成される。第１ないし第３入射面１２１、１２２、１２３にそれぞれ入射された第１ないし第３光Ｒ、Ｇ、Ｂは、出射面１２４に出射される。このような構成によって、第１ないし第３光Ｒ、Ｇ、Ｂの光路が結合される。
【００２７】
図１０は、本発明による画像投射装置の第３実施形態を示した構成図である。本実施形態の画像投射装置は、図１に図示された画像投射装置の一変形形態であり、第１ないし第３光Ｒ、Ｇ、Ｂの光路を結合する三色性のプリズム１２０ｂを備えることを特徴とする。
【００２８】
図１１は、三色性のプリズムを詳細に示した構成図である。図１１を見れば、三色性のプリズム１２０ｂは、３個のプリズムＰ１、Ｐ２、Ｐ３を備える。３個のプリズムＰ１、Ｐ２、Ｐ３が接合された二つの接合面Ｊ１、Ｊ２には、光を選択的に反射、透過させるための選択的反射膜が形成される。接合面Ｊ１は、例えば、第１光Ｒを反射させ、第２光Ｇは透過させる。接合面Ｊ２は、第３光Ｂを反射させ、第１、第２光Ｒ、Ｇは透過させる。このような構成によって、プリズムＰ２に入射された第１光Ｒは、プリズムＰ３との境界面１２７で全反射されて、接合面Ｊ１に入射される。接合面Ｊ１には、第１光Ｒを反射させる選択的反射膜が形成されているので、第１光Ｒは、接合面Ｊ１で反射されて、プリズムＰ３を透過して出射面１２４ｂから出射される。プリズムＰ２、Ｐ３の間には、全反射を利用するためのエアーギャップＡＧが形成されることが望ましい。プリズムＰ１に入射された第２光Ｇは、プリズムＰ２、Ｐ３を順次透過して出射面１２４ｂから出射される。プリズムＰ３に入射された第３光Ｂは、出射面１２４ｂで全反射されて接合面Ｊ２に入射される。接合面Ｊ２には、第３光Ｂを反射させる選択的反射膜が形成されているので、第３光Ｂは、接合面Ｊ２で反射されて出射面１２４ｂに出射される。このような構成によって、第１ないし第３光Ｒ、Ｇ、Ｂの光路が結合される。
【００２９】
第１ないし第３光源ユニット１１０Ｒ、１１０Ｇ、１１０Ｂから順次出射される第１ないし第３光Ｒ、Ｇ、Ｂは、Ｘキューブプリズム１２０ａまたは三色性のプリズム１２０ｂによって、同じ光路に沿ってコンデンシングレンズ１３０に入射される。コンデンシングレンズ１３０は、第１ないし第３光Ｒ、Ｇ、Ｂを集光して、インテグレータ１４０に入射させる。インテグレータ１４０は、均一な光度を持つ面光を形成する。インテグレータ１４０から出射された光は、ＴＩＲプリズム１６０を経て光変調素子１７０に入射される。リレイレンズユニット１５０は、インテグレータ１４０から出射される光を、光変調素子１７０の開口に合わせて拡大または縮少する。光変調素子１７０は、第１ないし第３光Ｒ、Ｇ、Ｂを画像情報に対応するように、順次変調させる。変調された光は、ＴＩＲプリズム１６０によって投射レンズユニット１８０に案内される。投射レンズユニット１８０は、変調された光をスクリーンＳに拡大投射する。
【００３０】
前述したように、本実施形態の画像投射装置によれば、小型光源１０を採用することによって、光源ユニット１１０の長寿命化を具現できる。レンズによらずに、小型光源１０から放出された光をコリメーティングさせることにより、集光効率を向上させることができる。複数の光モジュール１０１または１０２をアレイ化することによって、輝度を向上させることはもとより、光源ユニット１１０の小型化を図ることができる。Ｘキューブプリズム１２０ａまたは三色性のプリズム１２０ｂを利用して、光Ｒ、Ｂ、Ｇの経路を結合することによって、構造的に単純化された画像投射装置の具現が可能である。
【００３１】
本発明は、前記に説明されて図面に例示されたものにより限定されず、特許請求の範囲内でさらに多くの変形及び変容例が可能であるということは言うまでもない。
【産業上の利用可能性】
【００３２】
本発明は、光源ユニットの小型化及び長寿命化のために、画像投射装置の照明光学系に適用できる。
【図面の簡単な説明】
【００３３】
【図１】本発明による画像投射装置の第１実施形態を示した構成図である。
【図２】光モジュールの一実施形態を示した斜視図である。
【図３】図２の側面図である。
【図４】光モジュールの他の実施形態を示した側面図である。
【図５】光モジュールのさらに他の実施形態を示した斜視図である。
【図６】図５の側面図である。
【図７】光モジュールをアレイ化した光源ユニットの一例を示した斜視図である。
【図８】本発明による画像投射装置の第２実施形態を示した構成図である。
【図９】Ｘキューブプリズムを詳細に示した構成図である。
【図１０】本発明による画像投射装置の第３実施形態を示した構成図である。
【図１１】三色性のプリズムを詳細に示した構成図である。
【図１２Ａ】レンズを使用する光学系の集光効率の低下を示した図面である。
【図１２Ｂ】レンズを使用する光学系の集光効率の低下を示した図面である。
【符号の説明】
【００３４】
１０１、１０２  光モジュール
１１０Ｒ、１１０Ｇ、１１０Ｂ  第１〜第３光源ユニット
１３０  コンデンシングレンズ
１４０  インテグレータ
１５０  リレイレンズユニット
１６０  ＴＩＲプリズム
１７０  光変調素子
１８０  投射レンズユニット
Ｓ  スクリーン
【図１】
0004828158.tif 000002
【図２】
0004828158.tif 000003
【図３】
0004828158.tif 000004
【図４】
0004828158.tif 000005
【図５】
0004828158.tif 000006
【図６】
0004828158.tif 000007
【図７】
0004828158.tif 000008
【図８】
0004828158.tif 000009
【図９】
0004828158.tif 000010
【図１０】
0004828158.tif 000011
【図１１】
0004828158.tif 000012
【図１２Ａ】
0004828158.tif 000013
【図１２Ｂ】
0004828158.tif 000014